(57)【要約】  本発明は、機械的な差込インターフェース（１４）を含むＸ線平形検出器のための検出器ホルダ（１０）を提供する。検出器ホルダ内には異なるタイプのＸ線平形検出器を嵌め込むことができる。これにより、上述の如き検出器ホルダを装備させられたＸ線システムは、完全に異なる用途に対して柔軟に使用可能である。有利な実施形態においては、その都度接続されているＸ線平形検出器（２２，２４）のＸ線システムによる自動認識が用意されている。
2009529664.tif 000002
【特許請求の範囲】
【請求項１】
Ｘ線平形検出器用の検出器ホルダ（１０）であって、Ｘ線平形検出器（２２，２４）が接続されて検出器ホルダ（１０）によって保持されるように、検出器ホルダ（１０）が機械的な差込インターフェース（１４）を含むことを特徴とする検出器ホルダ。
【請求項２】
検出器ホルダによってＸ線平形検出器（２２，２４）を保持するために、ねじ止めによる固定を必要としないことを特徴とする請求項１記載の検出器ホルダ。
【請求項３】
機械的な差込インターフェース（１４）がレール（１６）を含み、レール（１６）内でＸ線平形検出器が案内および保持されることを特徴とする請求項１又は２記載の検出器ホルダ。
【請求項４】
機械的な差込インターフェース（１４）がロック機構（１８）を含み、ロック機構（１８）は、ロック状態では、レール（１６）上を案内されたＸ線平形検出器がレール（１６）から離脱するのを阻止すること特徴とする請求項３記載の検出器ホルダ。
【請求項５】
検出器ホルダ（１０）が電気的なインターフェース（２０，２０’）を含み、電気的なインターフェース（２０，２０’）内にＸ線平形検出器における１つ又は複数のプラグまたはプラグモジュールが差込可能であることを特徴とする請求項１乃至４の１つに記載の検出器ホルダ。
【請求項６】
請求項１乃至５の１つに記載の検出器ホルダ（１０）を有するＸ線システム。
【請求項７】
Ｘ線平形検出器の信号を処理するためのデータ処理装置を備え、Ｘ線システムが、データ処理装置のために、検出器ホルダ（１０’）によって保持されているＸ線平形検出器（２２’）のタイプに関する情報を入力可能である入力装置（２６）を含むことを特徴とする請求項６記載のＸ線システム。
【請求項８】
Ｘ線平形検出器の信号を処理するためのデータ処理装置を備え、Ｘ線システムが、検出器ホルダによって保持されているＸ線平形検出器のタイプを自動認識してこれに関する情報をデータ処理装置に提供するための認識装置を含むことを特徴とする請求項６記載のＸ線システム。
【請求項９】
認識装置が、Ｘ線平形検出器をそれらの重量またはそれらの寸法に基づいて認識することを特徴とする請求項８記載のＸ線システム。
【請求項１０】
少なくとも２つの異なるタイプのＸ線平形検出器（２２，２４）からなるＸ線平形検出器セットから選択的に１つのＸ線平形検出器が検出器ホルダ（１０）内に保持され得るように、請求項１乃至５の１つに記載の検出器ホルダ（１０）の機械的なインターフェース（１４）の形状にＸ線平形検出器の形状が全て整合していることを特徴とするＸ線平形検出器セット。
【請求項１１】
各Ｘ線平形検出器に１つの信号発生ユニットを備え、各信号発生ユニットは、異なるタイプのＸ線平形検出器において、
ａ）異なる位置に取り付けられている、および／または
ｂ）音響または光の異なる信号周波数を発生する、および／または
ｃ）異なる強度の信号を発生する
ことを特徴とする請求項１０記載のＸ線平形検出器セット。
【発明の詳細な説明】
【技術分野】
【０００１】
本発明は、Ｘ線平形検出器用の検出器ホルダ、このような検出器ホルダを有するＸ線システムならびに異なるタイプのＸ線平形検出器からなるＸ線平形検出器セットに関する。
【０００２】
市場には、種々の平形検出器を有する多数のＸ線システムが存在する。平形検出器は、使用分野に応じて、例えば活性面の大きさが異なり、しかも個々の検出素子の大きさも異なる。種々のタイプのＸ線平形検出器が特別な要求のために最適化されているとよい（それらの分解能、信号雑音比や、それらの形状、大きさ等に関して）。
【０００３】
しかしながら、従来において、Ｘ線平形検出器はそれぞれのＸ線システムと検出器ホルダに固定的に結合されていた。一般的にはＸ線平形検出器はそのような検出器ホルダにねじ止めされていた。大きな研究装置および大きな病院が所望の適用範囲に応じて種々のＸ線システムを準備するのに対して、小規模診療医は、Ｘ線平形検出器がその都度の用途には理想的に適していなくても、常に同一のＸ線システムを使用する。
【０００４】
本発明の課題は、Ｘ線平形検出器の使用をフレキシブルに可能にすることにある。
【０００５】
この課題は、請求項１による検出器ホルダ、請求項６によるＸ線システムおよび請求項１０によるＸ線平形検出器セットによって解決される。
【０００６】
本発明による検出器ホルダは機械的な差込インターフェースを特徴とする。したがって、Ｘ線平形検出器が接続され（差し込まれ）、次に検出器ホルダによって保持される。それにより、（それぞれ機械的なインターフェースの形状に整合（一致）した形状を有する）異なるタイプのＸ線平形検出器が使用可能となる。
【０００７】
有利な実施態様においては、とりわけ、ねじ止めによる固定がもはや必要でなく、差込システムが機能し、補足的な固定を行なう必要がない。
【０００８】
例えば、機械的な差込インターフェースがレールを含み、レール内でＸ線平形検出器が案内および保持されるとよい。ロック機構が設けられ、このロック機構が、（ロック状態では）レール上を（終端位置へ）案内されたＸ線平形検出器がレールから再びロック機構のロック解除なしに下にずり落ちたり勝手に滑り出したりするのを阻止するとよい。
【０００９】
検出器ホルダが電気的なインターフェースも含み、電気的なインターフェース内にＸ線平形検出器における１つ又は複数のプラグまたはプラグモジュールが差込可能であることが好ましい。それにより、検出器ホルダは、Ｘ線システムとの機械的な結合のみならず、電気的な結合ももたらす。
【００１０】
本発明には、個別要素としての検出器ホルダのみならず、このような検出器ホルダを有するＸ線システムも属する。このようなＸ線システムは、異なるＸ線平形検出器の使用を可能にするために、フレキシブルに使用可能である。一般的にＸ線システムはそれぞれのＸ線平形検出器の信号を処理するための電気的なデータ処理装置を含む。それぞれのＸ線平形検出器は本発明にしたがって交換可能であるので、データ処理のために、検出器ホルダによってその都度保持されているＸ線平形検出器のタイプに関する情報が提供されるべきである。
【００１１】
有利な選択肢としての実施態様では、入力装置が設けられ、入力装置を介して相応の情報が入力可能である。最も簡単な場合には、入力装置が複数の押しボタンを有し、１つの押しボタンがそれぞれ１つのタイプのＸ線平形検出器に対応し、それゆえＸ線平形検出器の差込時にそれぞれの押しボタンのみが押されればよい。
【００１２】
少し改善された選択肢としての実施態様では、Ｘ線システムに、検出器ホルダによって保持されているＸ線平形検出器のタイプを自動認識するための認識装置が備えられている。
【００１３】
認識装置は、簡単に機械的に動作し、例えばＸ線平形検出器をそれらの重量またはそれらの寸法に基づいて認識する。この場合に重量および寸法は必ずしも正確に測定される必要はなく、Ｘ線平形検出器を互いに区別するに足る精度の大まかな評価で十分である。
【００１４】
認識装置によるこの種の測定の代わりに、認識装置は、例えば、Ｘ線平形検出器におけるマーキングを認識する検出器システム、または信号発生器の更なる改良型においてＸ線平形検出器に送信された信号を検出する検出器システムを含むことができる。
【００１５】
本発明には（Ｘ線システムから更に分離された個別部分としての）異なるタイプの少なくとも２つのＸ線平形検出器からなるＸ線平形検出器セットも属し、これらのＸ線平形検出器の形状は全て、本発明による検出器ホルダの機械的なインターフェースの形状に整合（一致）している。それゆえ、Ｘ線平形検出器セットから１つのＸ線平形検出器が選択され、検出器ホルダに収容されて保持される。使用者には、一方では本発明による検出器ホルダを有するＸ線システムが、他方では異なるタイプのＸ線平形検出器の上述のセットが使用可能であるので、使用者は選択的にＸ線平形検出器セットから１つのＸ線平形検出器を選択して、これを検出器ホルダに嵌め込むことができ、それによりＸ線システムを補ってより完全なものにすることができる。後で問題なくＸ線平形検出器の交換が可能である。Ｘ線平形検出器の形状が整合（一致）している機械的な差込インターフェースが使用されることによって、ねじ止め等を省略することができる。それによって取り扱いが非常に簡単化されているので、通常の操作者が問題なくＸ線平形検出器の交換を行なうことができる。
【００１６】
上述のように、Ｘ線システムに、Ｘ線平形検出器のタイプを認識する認識装置が設けられているとよい。一変形において認識装置はＸ線平形検出器から発生された信号を検出する。したがって、本発明によるＸ線平形検出器セットのＸ線平形検出器は、この変形選択時には、それぞれ信号発生ユニットを装備している。異なるタイプのＸ線平形検出器の区別は、３つの選択肢にしたがって行なわれる。そのうちの１つでは信号発生ユニットがＸ線平形検出器の異なる位置に取り付けられている。位置の規定は検出器ホルダへの差し込み位置に関連して認識することができる。換言するならば、Ｘ線平形検出器が差し込まれた際に信号発生ユニットがその都度１つの信号を検出器ホルダの他の個所に向けて発信すると、２つの異なるＸ線平形検出器における２つの信号発生ユニットが、それらの取り付け位置によって区別される。相応のＸ線システムにおいて、それぞれ、各信号発生ユニットには対応する検出器が設けられているので、特定のタイプのＸ線平形検出器によって特定の検出器が作動させられる。これは、特に光信号を使用する場合に当てはまる。
【００１７】
音響信号の使用時にも光信号の使用時にも、異なるタイプのＸ線平形検出器は、信号ユニットから発生された音響または光の信号周波数によって区別可能である。３番目として、信号ユニットは異なる強度の信号を発生するだけであり、この場合にはＸ線システムにおける認識装置は信号強度を測定するのに適していなければならない。フォトダイオードは例えばＬＥＤから発生された光束の強度を測定することができる。
【００１８】
以下において図面を参照しながら本発明の有利な実施形態を説明する。
図１は本発明による検出器ホルダの側面図を示し、
図２は本発明による検出器ホルダの底面図を示し、
図３Ａおよび図３Ｂは異なるＸ線平形検出器を備えた図１による本発明による検出器ホルダを示し、
図４はＸ線平形検出器に関する情報を準備するための入力装置が用意されている実施形態による検出器ホルダの側面図を示し、
図５は取り付けられたＸ線平形検出器の信号を検出する認識装置が取り付けられている検出器ホルダの実施形態の図２に対応する図を示す。
【００１９】
図１に示されている検出器ホルダは全体として１０を付され、機械的なインターフェース１４を有する基体１２を含む。機械的なインターフェース１４は図２による底面図においてより詳細に示されている。
【００２０】
２つのレール１６が準備され、Ｘ線平形検出器の製作時にＸ線平形検出器を２つのレール１６上に嵌め込むことができる。例えばＸ線平形検出器のハウジングには、（図２で見て）検出器ホルダの幅に適合したＸ線平形検出器の場合に当該Ｘ線平形検出器の案内に役立つ半溝または溝が設けられている。機械的なインターフェース１４はロック機構１８を含む。Ｘ線平形検出器が機械的なインターフェース１４上に十分に押し込まれている場合には、ロック機構１８がロックする。例えば、ロック機構１８がＸ線平形検出器ハウジングの対応する切り欠き内に嵌まり込む。Ｘ線平形検出器の目標位置は電気的なインターフェース２０によって準備され、このインターフェース２０内にＸ線平形検出器のプラグを差し込むことができる。
【００２１】
検出器ホルダ１０において差込インターフェース１４が使用されることによって、Ｘ線平形検出器の形状を差込インターフェース１４の形状に合わせ（かつＸ線平形検出器が電気的なインターフェースのためのプラグを有し）さえすれば、異なるＸ線平形検出器が差し込み可能である。したがって、異なるタイプのＸ線平形検出器を使用することができ、例えば大きいＸ線平形検出器２２（図３Ａ）を差込インターフェース１４に差し込むことができ、あるいは小さいＸ線平形検出器２４（図３Ｂ）を検出器ホルダに保持させることができる。
【００２２】
検出器ホルダは、一般に、（Ｘ線源、場合によっては患者用テーブル等を有する）Ｘ線システムの一部であり、固定的に設けられたＸ線平形検出器の代わりに、異なる大きさのＸ線平形検出器２２，２４間で図３Ａおよび図３Ｂに示された選択が行なわれ得る。したがって、Ｘ線システムが種々の用途に用いられる。例えば大きいＸ線平形検出器２２は肺の画像の作成に用いられ、これに対して小さいＸ線平形検出器２４は心臓の撮像に適している。
【００２３】
Ｘ線平形検出器の交換可能性によって、Ｘ線システムが（インターフェース２０に）接続されたＸ線平形検出器に関する情報を得ることができる可能性が要求される。一般に、Ｘ線平形検出器は、電気的なインターフェース２０を介して相応の情報を直接に受信する専用のコンピュータプロセッサユニットを含んでいない。Ｘ線システムは、異なったＸ線平形検出器の信号様式を認識するようにプログラムミング可能である。しかしながら場合によっては、この種のプログラミングは高価すぎる。簡単化されたホルダでは、検出器ホルダ１０’に押しボタン（または接触ボタン等）２６が設けられている。例えばカラーコードの使用によって、異なるＸ線平形検出器がそれぞれボタン２６のうちの１つに割り当てられるとよい。それぞれのＸ線平形検出器を機械的な差込インターフェース１４上に差し込む操作者がそれぞれのボタン２６を押し、それによりＸ線システムに、対応する情報を提供する。
【００２４】
それぞれのＸ線平形検出器の認識を自動的に行なうこともできる。
【００２５】
例えば、図５はもう一度本発明による検出器ホルダの底面図を示し、今度は電気的なインターフェース２０’に３つの異なるセンサ２８，３０，３２が設けられている。使用される３つの異なるタイプのＸ線平形検出器において、各タイプに１つのＬＥＤが取り付けられ、そのＬＥＤが、電気的なインターフェース２０’へのＸ線平形検出器の差込時にちょうどセンサ２８，３０，３２のうちの１つのところに位置するようになり、その結果、相応の信号がセンサ２８，３０，３２のうちの１つのみによって受信される。Ｘ線平形検出器のタイプごとにＬＥＤの位置が変化する場合には、ある時はセンサ２８のみが作動させられ、またある時はセンサ３０のみが作動させられ、そして更にある時はセンサ３２が作動させられるので、Ｘ線システム内のインテリジェント評価ユニットによって、検出器ホルダによって保持されているＸ線平形検出器のタイプに関する情報が提供されるように評価が行なわれるとよい。
【００２６】
代替としての実施形態では、ユニット２８，３０，３２がＬＥＤを表し、対応する受信器がＸ線平形検出器に設けられる。受信強度に基づいてそれぞれのＸ線平形検出器に関する一義的な情報が得られるように、異なるタイプのＸ線平形検出器が異なる強度の信号を発生するならば、理論的上唯一の受信器が存在することで十分である。
【００２７】
図に示されていない他の実施形態においては、例えば光バリアシステムを使用して、検出器ホルダが異なるＸ線平形検出器をそれらの大きさに基づいて認識する。相応の認識装置は、必ずしも検出器ホルダ自体に設けられている必要はなく、Ｘ線システム内のどこかに配置されていればよい。
【図面の簡単な説明】
【００２８】
【図１】本発明による検出器ホルダの側面図
【図２】本発明による検出器ホルダの底面図
【図３Ａ】大きなＸ線平形検出器を備えた図１による本発明による検出器ホルダを示す側面図
【図３Ｂ】小さなＸ線平形検出器を備えた図１による本発明による検出器ホルダを示す側面図
【図４】Ｘ線平形検出器に関する情報を準備するための入力装置が準備されている実施形態による検出器ホルダの側面図
【図５】取り付けられたＸ線平形検出器の信号を検出する認識装置が取り付けられている検出器ホルダの実施形態の底面図
【符号の説明】
【００２９】
１０        検出器ホルダ
１０'      検出器ホルダ
１２        基体
１４        機械的な差込インターフェース
１６        レール
１８        ロック機構
２０        電気的なインターフェース
２０’      電気的なインターフェース
２２        大きいＸ線平形検出器
２４        小さいＸ線平形検出器
２６        押しボタン
２８        センサ
３０        センサ
３２        センサ
【図１】
2009529664.tif 000003
【図２】
2009529664.tif 000004
【図３Ａ】
2009529664.tif 000005
【図３Ｂ】
2009529664.tif 000006
【図４】
2009529664.tif 000007
【図５】
2009529664.tif 000008
【国際調査報告】
2009529664.tif 000009
2009529664.tif 000010
2009529664.tif 000011
2009529664.tif 000012
2009529664.tif 000013
2009529664.tif 000014